(57)【特許請求の範囲】
【請求項１】
下面に電極を備えた発光素子を準備する工程と、
上面に素子載置部を備えた基板であって、前記素子載置部上に設けられる導電部材である第一接合部材と、前記素子載置部を囲むように設けられる第一堰き止め部であって、当該素子載置部の内周及び前記発光素子の下面の外周と一致する内周を有するとともに保持部材を堰き止めるための第一堰き止め部と、を備えた基板を準備する工程と、
前記第一堰き止め部に囲まれた領域に、有機溶剤、又は、揮発性の高い樹脂材料を含む保持部材を設ける工程と、
前記素子載置部内の前記保持部材上に前記発光素子を載置し、前記第一堰き止め部の内周と前記発光素子の下面の外周とが一致するようにセルフアライメントさせる工程と、
前記保持部材の少なくとも一部を除去し、前記第一接合部材を介して前記基板と発光素子の電極とを接合する工程と、
を備える発光装置の製造方法。
【請求項２】
下面に電極を備えた発光素子であって、前記電極上に第二接合部材を備えた発光素子を
準備する工程と、
上面に素子載置部を備えた基板であって、前記素子載置部を囲むように設けられる第一
堰き止め部であって前記素子載置部の内周及び前記発光素子の下面の外周と一致する内周を有する第一堰き止め部を備えた基板を準備する工程と、
前記第一堰き止め部で囲まれた領域に、有機溶剤、又は、揮発性の高い樹脂材料を含む保持部材を設ける工程と、
前記素子載置部内の前記保持部材上に、前記発光素子の電極を対向させて載置し、前記第一堰き止め部の内周と前記発光素子の下面の外周とが一致するようにセルフアライメントさせ
る工程と、
前記保持部材の少なくとも一部を除去し、前記第二接合部材を介して前記基板と前記発光素子とを接合する工程と、
を備える発光装置の製造方法。
【請求項３】
前記発光素子の下面に、素子載置部と相似形となるような形状の第二堰き止め部材を設
ける請求項１又は請求項２記載の発光装置の製造方法。
【請求項４】
前記第一堰き止め部材は、前記素子載置部の全周囲において連続して設けられる請求項
１〜請求項３のいずれか一項に記載の発光装置の製造方法。
【請求項５】
前記発光素子の下面形状は四角形であり、前記第一堰き止め部は、前記素子載置部の四
角形の対向する少なくとも２つの角に対応して設けられる請求項１〜請求項４のいずれか
一項に記載の発光装置の製造方法。
【請求項６】
前記第一堰き止め部の内周形状は、前記発光素子の底面の外周と同じ形状である請求項
１〜請求項５のいずれか一項に記載の発光装置の製造方法。
【請求項７】
前記第一堰き止め部は、前記保持部材をはじく性質を備えている、請求項１〜請求項６のいずれか一項に記載の発光装置の製造方法。
【発明の詳細な説明】
【技術分野】
【０００１】
本開示は、発光素子を用いたＬＥＤなどの発光装置の製造方法に関する。
【背景技術】
【０００２】
発光装置の製造方法において、接合部材を用いてダイパッド部上に発光素子を接合する方法が知られている。
【０００３】
発光素子の接合方法は、まず、基板上のダイパッド部に接合部材を設け、その接合部材の上に発光素子を実装する。詳細には、ウエハシート上に載置された発光素子を、実装装置に備えられたコレットを用いて真空吸着した後、そのコレットを上述の接合部材上に移動し、真空を解除することによって、ダイパッド部に発光素子が実装される。その後、例えば、オーブン又はリフローにより加熱することで接合部材が硬化される。このとき、接合部材として、フラックスを用いる方法が一般的に知られているが、フラックスの代わりに、アルコール類を用いて仮固定を行った後、加熱により本接合を行う方法が知られている（例えば特許文献１）。
【０００４】
また、はんだとメタライズの一部を拡散、又は溶解させて仮固定させた後、さらにメタライズを拡散、又は溶解させて仮固定を解除して接合する方法が知られている（特許文献２）。
【先行技術文献】
【特許文献】
【０００５】
【特許文献１】特開平６−３２６４４９号公報
【特許文献２】特開２００２−１１１１９１号公報
【発明の概要】
【発明が解決しようとする課題】
【０００６】
しかしながら、特許文献１の方法では、あらかじめコントロールされた量のアルコールを供給したとしても、アルコールの流動性が高くて所定の位置に留まりにくい場合がある。また、特許文献２の方法では、発光素子の下面、及び、ダイパッド部の構造が複雑であり、両者の形状をそれぞれ立体的に安定して形成しなければならず、歩留が低下するおそれがある。
【課題を解決するための手段】
【０００７】
本実施形態は、以下の構成を含む。
下面に電極を備えた発光素子を準備する工程と、
上面に素子載置部を備えた基板であって、前記素子載置部上に設けられる導電部材である第一接合部材と、前記素子載置部を囲むように設けられる第一堰き止め部であって、当該素子載置部の内周及び前記発光素子の下面の外周と一致する内周を有するとともに保持部材を堰き止めるための第一堰き止め部と、を備えた基板を準備する工程と、
前記第一堰き止め部に囲まれた領域に、有機溶剤、又は、揮発性の高い樹脂材料を含む保持部材を設ける工程と、
前記素子載置部内の前記保持部材上に前記発光素子を載置し、前記第一堰き止め部の内周と前記発光素子の下面の外周とが一致するようにセルフアライメントさせる工程と、
前記保持部材の少なくとも一部を除去し、前記第一接合部材を介して前記基板と発光素子の電極とを接合する工程と、
を備える発光装置の製造方法。
【発明の効果】
【０００８】
上記により、発光装置の製造方法で使用する接合部材を、接合に必要な量に留めることができる。つまり、過剰な量の接合部材を用いなくても、適切にセルフアライメントを行うことができる。
【図面の簡単な説明】
【０００９】
【図１Ａ】図１Ａは、一実施形態に係る発光装置の概略上面図である。
【図１Ｂ】図１Ｂは、図１ＡのＡ−Ａ線における概略断面図である。
【図１Ｃ】図１Ｃは、図１Ｂの部分拡大図である。
【図２Ａ】図２Ａは、一実施形態に係る発光装置の製造方法を説明する概略上面図である。
【図２Ｂ】図２Ｂは、図２ＡのＢ−Ｂ線における概略断面図である。
【図３Ａ】図３Ａは、一実施形態に係る発光装置の製造方法の変形例を示す概略上面図である。
【図３Ｂ】図３Ｂは、一実施形態に係る発光装置の製造方法の変形例を示す概略上面図である。
【図３Ｃ】図３Ｃは、一実施形態に係る発光装置の製造方法の変形例を示す概略上面図である。
【図３Ｄ】図３Ｄは、一実施形態に係る発光装置の製造方法の変形例を示す概略上面図である。
【図３Ｅ】図３Ｅは、一実施形態に係る発光装置の製造方法の変形例を示す概略上面図である。
【図３Ｆ】図３Ｆは、一実施形態に係る発光装置の製造方法の変形例を示す概略上面図である。
【図３Ｇ】図３Ｇは、一実施形態に係る発光装置の製造方法の変形例を示す概略上面図である。
【図３Ｈ】図３Ｈは、一実施形態に係る発光装置の製造方法の変形例を示す概略上面図である。
【図４Ａ】図４Ａは、一実施形態に係る発光装置の製造方法を説明する概略上面図である。
【図４Ｂ】図４Ｂは、図４ＡのＣ−Ｃ線における概略断面図である。
【図５Ａ】図５Ａは、一実施形態に係る発光装置の製造方法を説明する概略上面図である。
【図５Ｂ】図５Ｂは、図５ＡのＤ−Ｄ線における概略断面図である。
【図５Ｃ】図５Ｂは、図５ＡのＤ−Ｄ線における概略断面図である。
【図６Ａ】図６Ａは、一実施形態に係る発光装置の製造方法を説明する概略上面図である。
【図６Ｂ】図６Ｂは、図６ＡのＥ−Ｅ線における概略断面図である。
【図７Ａ】図７Ａは、一実施形態に係る発光装置の製造方法を説明する概略上面図である。
【図７Ｂ】図７Ｂは、図７ＡのＦ−Ｆ線における概略断面図である。
【図８Ａ】図８Ａは、一実施形態に係る発光装置の製造方法を説明する概略上面図である。
【図８Ｂ】図８Ｂは、図８ＡのＧ−Ｇ線における概略断面図である。
【図９】図９は、一実施形態に係る発光装置の製造方法を説明する概略上面図である。
【図１０Ａ】図１０Ａは、一実施形態に係る発光装置の製造方法を説明する概略上面図である。
【図１０Ｂ】図１０Ｂは、図１０ＡのＨ−Ｈ線における概略断面図である。
【図１１Ａ】図１１Ａは、一実施形態に係る発光装置の製造方法を説明する概略上面図である。
【図１１Ｂ】図１１Ｂは、図１１ＡのＩ−Ｉ線における概略断面図である。
【図１２Ａ】図１２Ａは、一実施形態に関わる発光装置の概略断面図である。
【図１２Ｂ】図１２Ｂは、図１２ＡのＪ−Ｊ線における概略断面図である。
【図１３Ａ】図１２Ａは、一実施形態に関わる発光装置の概略断面図である。
【図１３Ｂ】図１２Ｂは、図１３ＡのＫ−Ｋ線における概略断面図である。
【発明を実施するための形態】
【００１０】
以下、本発明の実施形態に係る発光装置について説明する。
なお、以下の説明において参照する図面は、本発明を概略的に示したものであるため、各部材のスケールや間隔、位置関係などが誇張、あるいは、部材の一部の図示が省略されている場合がある。また、平面図、断面図の間において、各部材のスケール、厚み、間隔が一致しない場合もある。また、以下の説明では、同一の名称及び符号については原則として同一又は同質の部材を示しており、詳細な説明を適宜省略することとする。
【００１１】
図１Ａ、図１Ｂ、図１Ｃは、実施形態に係る発光装置１００の一例を示すものである。図１Ａは発光装置１００の概略上面図、図１Ｂは図１ＡのＡ−Ａ線における概略断面図、図１Ｃは、図１Ｂの部分拡大図である。発光装置１００は、基板１１０と、基板１１０上の素子載置部１０１に第一接合部材１０２を介して接合される発光素子２００と、を備える。基板１１０は、基板の母材１０７と、その上面に配置された配線１０８と、を備え、その配線１０８の一部にダイパッド部（発光素子の電極と接合される部分）１０９を備える。また、発光素子２００の周囲には、第一堰き止め部１０５が発光素子２００を取り囲むように配置されている。さらに、その他の構成として、発光素子２００を被覆する被覆部材１１１が、接着剤１１２を介して基板の母材１０７に接着されている。
このような発光装置１００の製造方法について、以下詳説する。
【００１２】
（実施形態１）
実施形態１に係る発光装置の製造方法は、
（１−１）上面に素子載置部を備えた基板であって、素子載置部上に設けられる第一接合部材と、前記素子載置部を囲むように設けられる第一堰き止め部と、を備えた基板を準備する工程と、
（１−２）第一堰き止め部で囲まれた領域に、保持部材を設ける工程と、
（１−３）保持部材上に、発光素子を載置し、セルフアライメントさせる工程と
（１−４）保持部材の少なくとも一部を除去し、第一接合部材と発光素子とを接合する工程と、
を備える。
さらに、
（１−５）基板上に被覆部材を設ける工程、
を備えることができる。
以下、各工程について詳説する。
【００１３】
（１−１：基板を準備する工程）
図２Ａは、基板１１０の概略上面図、図２Ｂは図２ＡのＢ−Ｂ線における概略断面図を示す。基板１１０は、上面に素子載置部１０１を備え、更に、素子載置部１０１に第一接合部材１０２と、素子載置部１０１を囲むように第一堰き止め部１０５と、が設けられている。
【００１４】
ここで「素子載置部」は、例えば、図２Ａにおいて破線で囲まれた領域を指しており、基板１１０の上面のうち、発光素子の下面（基板の上面と対向する面）の直下に位置する領域を指す。つまり、素子載置部１０１の形状は、発光素子の下面と略同じ形状である。また、素子載置部は、発光素子が載置されていない状態であって、後に発光素子が載置された際に発光素子の下面と対向する面（すなわち、素子載置予定部）も含む。
【００１５】
基板を準備する工程は、以下の（１ａ）〜（１ｅ）いずれかの工程とすることができる。
（１ａ）上面に、素子載置部と第一接合部材と第一堰き止め部とがあらかじめ備えられた基板を準備する工程。
（１ｂ）上面に、素子載置部と第一接合部材があらかじめ備えられた基板を準備し、素子載置部を囲むように第一堰き止め部を形成する工程を行って、これらの部材を備えた基板を準備する工程。
（１ｃ）上面に、素子載置部と第一堰き止め部があらかじめ備えられた基板を準備し、素子載置部上に第一接合部材を形成する工程を行って、これらの部材を備えた基板を準備する工程。
（１ｄ）上面に、素子載置部を備えた基板を準備し、素子載置部上に、第一接合部材を形成する工程を行い、次いで、前記素子載置部を囲むように第一堰き止め部を形成する工程を行って、これらの部材をそなえた基板を準備する工程。
（１ｅ）上面に、素子載置部を備えた基板を準備し、素子載置部を囲むように第一堰き止め部を形成する工程を行い、次いで、素子載置部上に第一接合部材を形成する工程を行って、これらの部材をそなえた基板を準備する工程。
【００１６】
上記の（１ａ）については、説明を省略する。（１ｂ）〜（１ｅ）について、以下説明する。まず、（１−１）基板を準備する工程（１ｂ）、（１ｄ）、（１ｅ）に含まれる第一堰き止め部を形成する方法について説明する。
【００１７】
第一堰き止め部は、例えば、後述の保持部材をはじく性質を備えた撥水部材とすることができる。すなわち、化学的性質を利用して、素子載置部に保持部材を留める（堰き止める）ことが可能な部材を用いることができる。撥水部材は、その厚みを薄くできるため、発光素子からの光を吸収する材料を用いたとしても、その影響を少なくすることができる。
【００１８】
第一堰き止め部として、撥水部材を用いる場合、基板上に形成する前は液体であり、第一堰き止め部で囲まれた領域に保持部材を設ける際には固体となっている材料が好ましい。あるいは、基板上に形成した後、第一堰き止め部と基板との位置関係が変化しない材料、例えば、高粘度の第一堰き止め部を用いることができる。撥水部材としては、例えば、テフロン（登録商標）等を用いることができる。
【００１９】
第一堰き止め部として、撥水部材を用いる場合は、素子載置部をレジスト等のマスクで覆った後に、印刷、スプレー、真空蒸着、圧縮成形、ポッティング、転写等によって撥水部材を形成した後、マスク（及びその上に形成された撥水部材）を除去することで、素子載置部の周囲に第一堰き止め部を形成することができる。あるいは、素子載置部をマスクすることなく、シート貼り付け、描画、転写等の方法で素子載置部を囲む領域のみ第一堰き止め部を形成することができる。また、スプレー、真空蒸着、圧縮成型、ポッティング、転写、等の方法で素子載置部を含む基板上に撥水部材を形成した後、素子載置部を囲む領域をマスクなどで覆い、素子載置部に形成された撥水部材をブラスト等で除去することで、素子載置部を囲むように第一堰き止め部を形成することができる。また、（１ｄ）のように、第一接合部材が先に形成されている場合は、第一接合部材の少なくとも一部、または全部を覆わないように、第一堰き止め部を設けることが好ましい。
【００２０】
また、第一堰き止め部は、基板上に形成された凸部、又は凹部（溝部）とすることができる。すなわち、物理的性質を利用して、素子載置部に保持部材を留める（堰き止める）ことが可能な部材を用いることができる。ここで、凹部のうち、特に、上面視において長尺に形成されている凹部を溝部としており、溝部は凹部に含まれる。また、凸部は、保持部材として高いチクソ性を示すような部材を用いる際に適しており、凹部は、保持部材として低いチクソ性を示すような部材を用いる際に適している。
【００２１】
凸部の場合は、素子載置部を取り囲む枠状とすることが好ましく、この枠の上面の外端において後述の保持部材の端部を止めることができる。これにより、凸部の外側面よりも外側に保持部材を流出させないようにすることができる。これは、「濡れのピン止め効果」と呼ばれる現象によるものである。詳細には、液体（液滴）が固体の角張ったへりに達した際に、その液体の本来の接触角（Θ）と、そのへりに連続する外向面の下り角度（上面からの傾斜角度）αとの和（Θ＋α）に達するまでへりを乗り越えることができない現象であり、これにより保持部材の流出を抑制することができる。
【００２２】
また、凹部（溝部）の場合は、その内端において、保持部材の端部を止めることができる（濡れのピン止め効果）。これにより、凹部（溝部）の内側面よりも外側に保持部材を流出させないようにすることができる。そのため、凹部（溝部）の場合は、外側面の位置は特に限定されない。すなわち、溝部の幅は特に限られない。
【００２３】
第一堰き止め部を凸部又は凹部（溝部）とする場合、これらは導電部材、又は絶縁部材のいずれにより構成されていてもよく、あるいは、両方で構成されていてもよい。両方で構成されている場合は、例えば、絶縁部材である基板の母材の上の凸部と、導電部材である配線の上の凸部とで構成される凸部とすることができる。
【００２４】
尚、撥水部材を凸状に設けることで、その形状をも利用して物理的性質を利用して保持部材を堰き止める場合もある。そのため、堰き止め部材は、化学的性質及び物理的性質の両方によって保持部材を堰き止めてもよい。
【００２５】
第一堰き止め部が、凸部、又は凹部（溝部）である場合は、基板（母材、もしくは、配線）を加工して凸部、又は凹部（溝部）とすることができる。例えば、基板として、セラミックを母材とし配線を備えたセラミック基板の場合、第一堰き止め部に相当する形状のグリーンシートを最上層に積層させて焼成することで、セラミックの凸部を備えたセラミック基板とすることができる。凹部（溝部）とする場合は、第一堰き止め部に相当する形状の貫通孔を設けたグリーンシートを最上層に積層して焼成することで、凹部（溝部）を備えたセラミック基板とすることができる。凸部の高さは、例えば数nｍ〜数百μｍ程度とすることができる。セラミックとしては、窒化アルミニウム、酸化アルミニウム等を用いることができる。
【００２６】
また、セラミック基板の上面に、配線として設けられる金属層（メッキ層）の厚みを高くして、凸部としてもよい。この場合、第一堰き止め部に相当する位置に開口部を備えたレジストマスクを基板上面に配置した状態でメッキすることで、メッキの凸部を備えたセラミック基板とすることができる。あるいは、基板上面の第一堰き止め部に相当する位置にレジストマスクを配置した状態でメッキすることで、メッキの凹部（溝部）を備えたセラミック基板とすることができる。メッキとしては、Ａｕ、Ａｇ、Ａｌ、Ｎｉ、Ｐｇ等を用いることができる。特に発光素子からの光を反射し易いものが好ましく、例えば、Ａｇが好ましい。
【００２７】
また、基板（母材、配線）とは別に、撥水性を備えていない部材（親水部材）を用いて凸状の第一堰き止め部材としてもよい。このような親水部材については、前述の撥水部材と同様の方法を用いて形成することができる。親水部材としては、例えば、ＳｉＯ２、カーボン、ＴｉＯ２等を挙げることができる。その中でも、特にＴｉＯ２は、光触媒として使用することで、より親水性を示すことも可能であるため、親水部材として好ましい。
【００２８】
第一堰き止め部は、素子載置部の周囲であって、素子載置部を取り囲むように設けられる。換言すれば、第一堰き止め部は、開口部を備えた枠状に形成されており、その開口部内に素子載置部の少なくとも一部が配置される。ここで、「取り囲む」とは、例えば、連続した１つの第一堰き止め部、又は、２以上の第一堰き止め部によって、素子載置部を連続的に、あるいは、不連続であって実質的に取り囲むことを指す。不連続とは、例えば、破線状、点線状、一点鎖線状等を指す。また、２以上の第一堰き止め部とする場合は、それぞれが互いに離間していてもよく、あるいは、一部が繋がっていてもよい。
【００２９】
第一堰き止め部の開口部の形状（内周形状）は、素子載置部の外周形状（発光素子の下面の外周形状）と一致していることが好ましい。ただし、第一堰き止め部の内周形状と素子載置部の外周形状とは、必ずしも一致していなくてもよい。例えば、第一堰き止め部の開口部の内周よりも、素子載置部の外周がやや大きくてもよく、あるいはやや小さくてもよい。例えば、第１堰き止め部で囲まれた領域の面積に対して、発光素子の下面の面積（素子載置部の面積）が５０％〜１１０％の範囲とすることができる。
【００３０】
また、第一堰き止め部の外縁（外周）の形状については特に限定されないが、例えば、開口部の内周形状と相似形の外縁形状としてもよい。具体的には、略同じ幅の線状の第一堰き止め部を、四角い枠状に設けるなどとすることができる。
【００３１】
第一堰き止め部の形状（上面視形状）は、例えば具体例としては、図３Ａ〜図３Ｈに示すような形状があげられる。以下の例では、基板の母材１０７と、その上面の配線１０８と、を備えた基板１１０と、その上面の素子載置部とが同じ形状であり、第一堰き止め部１０５の形状の変形例の一例をあげている。光素子の底面及び素子載置部１０１が四角形（正方形）である場合について例示しているが、素子載置部の形状はこれに限らない。
【００３２】
第一堰き止め部１０５は、図３Ａ、図３Ｂに示すように、素子載置部１０１の全周囲を連続して取り囲む枠状（環状）とすることができる。図３Ａでは、第一堰き止め部１０５の内周は、素子載置部１０１の外周よりも大きく形成されており、図３Ｂでは、第一堰き止め部１０５の内周と、素子載置部１０１の内周とは、略一致している。これにより、後述の保持部材を素子載置部１０１内に保持し易く、セルフアライメント効果を得られやすい。
【００３３】
また、このような素子載置部１０１の全周囲において連続する１つの第一堰き止め部とする場合、その一部が途切れた形状（切り欠かれた形状）であってもよい。この場合、後述するような複数個の第一堰き止め部ではなく、連続する１つの第一堰き止め部である点において図３Ａ及び図３Ｂと類似している。第一堰き止め部のうち、途切れた部分は、素子載置部１０１の１辺の長さ以下であることが好ましく、より好ましくは、素子載置部１０１の１辺の長さの１／２以下である。
【００３４】
また、第一堰き止め部１０５は、図３Ｃ〜図３Ｈに示すように、素子載置部１０１の周囲において、２以上の複数個に分かれた第一堰き止め部１０５として設けられていてもよい。そして、複数の第一堰き止め部１０５の内周が、素子載置部の外周と対応するようにする。このような第一堰き止め部１０５は、１つのみでは素子載置部１０１を囲むことはできないが、複数個を組み合わせることで、素子載置部１０１を取り囲むことができるものである。例えば、素子載置部の外周が四角形の場合、第一堰き止め部１０５の内周が、それぞれ素子載置部の外周と一致又は近似するように形成されることで、全体として素子載置部１０１を擬似的に取り囲んだようにすることができる。
【００３５】
このように、複数の第一堰き止め部１０５を設ける場合、素子載置部１０１の外周に対して、第一堰き止め部１０５の合計長さは３０％以上であることが好ましく、さらに、５０%以上であることが好ましい。また、複数の第一堰き止め部１０５のいずれかが、素子載置部１０１の各辺（四角形の場合４辺）の全ての辺に対向するように設けられる。換言すると、第一堰き止め部１０５が対向していない素子載置部１０１の辺が存在しないようにする。つまり、第一堰き止め部の端部と最も近い第一堰き止め部の端部との距離は、素子載置部１０１の１辺の長さよりも短く、１／２以下の長さがより好ましい。例えば、発光素子の下面形状が四角形の場合、第一堰き止め部は、対向する少なくとも２つの角に対応して、Ｌ字状などの第一堰き止め部を設けることができる。図１Ａでは、Ｌ字状の第一堰き止め部１０５を、２組の対向する２つの角、すなわち４角に設けた例を示している。
【００３６】
このように、断続的に素子載置部１０１を囲む堰き止め部１０５を設ける場合は、後述の保持部材が堰き止め部よりも外側に流出する経路が存在することになるため、保持部材の粘度等に応じて、作業時間（保持部材を形成した後、その上に発光素子を載置するまでの時間）を短くすることが好ましい。
【００３７】
複数の第一堰き止め部１０５の変形例を、図３Ｃ〜図３Ｈに例示しているが、変形例はこれらに限られるものではない。
【００３８】
図３Ｃには、素子載置部１０１の４つの角部のそれぞれと対向するＬ字状の４個の第一堰き止め部１０５を示している。Ｌ字の縦線及び横線の長さは同じであってもよく、異なっていてもよい。また、４つの第一堰き止め部１０５は、全てが同じ形状であってもよく、あるいは、異なる形状でもよい。
【００３９】
図３Ｄには、素子載置部１０１の４辺にそれぞれ対向する４つの直線状（長方形状）の第一堰き止め部１０５を示している。４つの長方形状の第１堰き止め部１０５は、長辺長さ、短辺長さが、それぞれ４つとも同じもの、あるいは、異なるものでもよい。
【００４０】
図３Ｅには、素子載置部１０１のうち、対向する２つの辺に接すると共に、それらの辺よりも長い長さで設けられる２つの第一堰き止め部１０５を示している。そして、この対向する２つの辺と直交する方向で対応している2辺においては、両端に２つの第一堰き止め部１０５がそれぞれ対向するように設けられる。この形状は、図３Ｃで示した４つのＬ字状の第一堰き止め部のうちの２つが繋がった形状ともいえる。図３Ｅに示す第一堰き止め部１０５は、４つの角に対向している点に加え、２つの対向する辺の全てと対向していることで、図３Ｃに示す例に比して、セルフアライメント効果を得られやすい。
【００４１】
図３Ｆには、素子載置部１０１のうち、隣接する２つの角とそれぞれ対向するＬ字状の第一堰き止め部１０５が２つと、その２つの角と異なる２つの角の間の１辺と対向する長方形状の第堰き止め部１０５が１つと、の合計３つで構成される第一堰き止め部１０５を示している。このように異なる形状の第一堰き止め部１０５としてもよく、その場合は、線対称形に配置させることが好ましい。
【００４２】
図３Ｇには、素子載置部１０１の周囲に設けられた６つの第一堰き止め部１０５を示している。４つの角と対向する位置であって、各角と連なる１辺のみに対向するように配置させた４つの第一堰き止め部１０５と、それらから離間し、素子載置部１０１のうち、２つの対向する辺に対向する２つの第一堰き止め部１０５と、を備えている。このように、第一堰き止め部１０５を、辺の数よりも多い数で設けることで、保持部材が流出する経路を分散させることができ、セルフアライメントさせやすくすることができる。
【００４３】
図３Ｈには、素子載置部１０１の４つの角部のそれぞれと対向する十字状の４個の第一堰き止め部１０５を示している。十字の縦線及び横線の長さは同じであってもよく、異なっていてもよい。また、４つの第一堰き止め部１０５は、全てが同じ形状であってもよく、あるいは、異なる形状でもよい。図３Ｈに示す十字状の第一堰き止め部１０５は、図３Ｃに示すＬ字状の第一堰き止め部１０５の、縦線及び横線を外側に延長させたものであり、実質的に図３Ｃと同様の効果を得ることができる。
【００４４】
次に、基板を準備する工程（１ｃ）、（１ｄ）、（１ｅ）に含まれる第一接合部材を設ける方法について説明する。第一接合部材は、金属又は金属を主成分として含む導電部材であり、基板と発光素子とを接合させると共に、導通させる部材である。例えば、Ｓｎ、Ｂｉ系の金属材料があげられる。第一接合部材は、基板の上面の、素子載置部に設けられる。詳細には、第一接合部材は、素子載置部の全面、又は一部に設けられる。詳細には、素子載置部に含まれるダイパッド部の上面の全面、又は少なくとも一部上に設けられる。発光素子をフリップチップ実装する場合は、ダイパッド部を少なくとも２つ（正極、負極）備えており、その場合は、両方の上面に第一接合部材を備える。本実施形態においては、第一接合部材は、接合に必要な量であればよいため、好ましくは、ダイパッド部上に、例えば、高さ約１μｍ〜１０μｍ程度の第一接合部材を設ける。例えば、基板のダイパッド部が１ｍｍ×１ｍｍの金（Ａｕ）であり、発光素子の電極が１ｍｍ×１ｍｍの金（Ａｕ）である場合、第一接合部材の厚みは約８μｍとすることができる。
【００４５】
第一接合部材は、ダイパッド部以外をレジスト等のマスクで覆った後に、スパッタ、蒸着、ＣＶＤ、印刷、メッキなどの方法で形成し、その後マスクを除去することで形成することができる。あるいは、ダイパッド部以外をマスクすることなく、転写、ポッティング、描画、接合部材箔の貼り付け等の方法で形成することができる。また、スパッタ、蒸着、ＣＶＤ、印刷、メッキなどの方法で、第一接合部材を基板の上面の全面に形成した後、ダイパッド部をマスクなどで覆い、ブラスト等によってマスクで覆われていない第一接合部材を除去することで、素子載置部上のダイパッド部のみ第一接合部材を設けることができる。また、（１ｅ）のように、第一堰き止め部が先に形成されている場合は、第一堰き止め部の少なくとも一部、または全部を覆わないように、第一接合部材を設けることが好ましい。
【００４６】
第一接合部材は、例えば、図２Ａに示すように、１つの素子載置部１０１に４つ設けることができる。第一接合部材１０２を設ける位置は、基板上のダイパッド部、すなわち、発光素子の電極と対向する位置であればよい。第一接合部材１０２の大きさ及び上面視形状は、発光素子の電極の大きさ及び上面視形状と一致させてもよい。あるいは、第一接合部材１０２の大きさ及び上面視形状は、発光素子の電極の大きさと異なる大きさ又は、発光素子の電極の上面視形状と異なる上面視形状としてもよい。あるいは、発光素子の電極１つに対して、２以上の第２接合部材としてもよい（例えば図２Ａ）。第一接合部材と、発光素子の電極との接触面積が大きい程、放熱性がよくなり好ましい。
【００４７】
基板を準備する工程（１ｂ）〜（１ｅ）では、第一堰き止め部及び第一接合部材のいずれも備えていない基板、もしくは、そのいずれかを備えた基板を準備する。すなわち、少なくとも発光素子を載置可能な上面（素子載置部）を備えた基板を準備する。
【００４８】
基板は、発光装置の基台となる部材であり、絶縁性部材（母材）と、その上面に形成された導電性部材（配線）と、を備える。基板の上面の素子載置部は、絶縁性部材（母材）及び／又は導電性部材（配線）から構成される。
【００４９】
（１−２：保持部材を設ける工程）
図４Ａは、基板１１０上の第一堰き止め部１０５で囲まれた領域に保持部材１０４を設けた状態を示す概略上面図、図４Ｂは、図４ＡのＣ−Ｃ線における概略断面図を示す。
【００５０】
保持部材１０４は、発光素子をセルフアライメントさせるための部材である。すなわち、発光素子を載置する工程において、発光素子を載置可能な粘度を備えており、発光素子載置後、セルフアライメントを利用できる粘度を備えている。大気圧下で発光素子を載置する場合、例えば、粘度が４Pa・s〜１８Pa・sの範囲である部材が好ましい。尚、保持部材の材料や、作業環境等に応じて、必ずしも上記粘度でなくてもよく、発光素子が載置可能な粘度であれば、特に問題はない。
【００５１】
また、別の観点から、保持部材１０４は、常温で気化しにくく、加熱により気化量が増加する材料であることが好ましい。詳細には、常温での気化量が０ｍｇ／ｍｉｎに近いほど好ましく、加熱時の気化量が０．１ｍｇ／ｍｉｎ以上であることが好ましい。さらに別の観点から、保持部材は、気化温度は約５０℃から揮発し始め、且つ、約１３０℃で最大気化量となるような材料であることが好ましい。
【００５２】
保持部材１０４としては、例えば、アルコールなどの有機溶剤、揮発性の高い樹脂材料等を用いることができる。これらの材料は、単独で、あるいは複数を混合させて用いることができる。例えば、粘度が異なる部材、あるいは、揮発性の異なる部材等を混合することで、所望の粘度あるいは揮発性を備えた保持部材とすることができる。具体的には、アルコールと樹脂とを混合させるなどにより、アルコールの揮発性を活かしつつ、発光素子を保持する保持力を樹脂で補うなど、作業環境等に適した材料を種々選択することができる。また、保持部材１０４は、ピン転写、エア圧を利用するポッティングやディスペンス、インクジェット、スプレーなどの方法で形成することができ、使用する保持部材の粘度に合わせて適宜選択することができる。また、保持部材１０４は、第一堰き止め部１０５で囲まれた領域の一部又は全ての領域に設けられる。また、好ましくは、第一堰き止め部１０５で囲まれた領域の全てに設けられる。また、第一接合部材１０２の上、又は近傍に設けることが好ましい。
【００５３】
例えば、第一接合部材として、Ｓｎ、Ｂｉ系の金属を用いる場合、これらの融点が１４０℃程度であるため、保持部材としては、気化温度は約５０℃から揮発（気化）し始める材料が好ましく、さらに、約１３０℃で最大気化量となるような材料であることが好ましい。また、最も高い部分の高さが、例えば、１５μｍ以上の体積となるような量で設けることが好ましい。また、第一接合部材の上面の少なくとも一部を覆うように設けることが好ましい。また、第一堰き止め部の厚みよりも薄くてもよく、厚くてもよい。保持部材は、半球状などで設けることが好ましい。尚、保持部材の量は、第一堰き止め部の厚みや、基板の表面状態、載置する発光素子の下面の面積に応じて、適宜選択することができる。
【００５４】
（１−３：セルフアライメントさせる工程）
図５Ａは、保持部材１０４上に、発光素子２００を載置した状態を示す概略上面図、図５Ｂは、図５ＡのＤ−Ｄ線における概略断面図を示す。図５Ｃは、保持部材上の発光素子が、素子載置部からずれた状態で載置された状態、すなわち、セルフアライメントする前の状態を示す概略断面図である。
【００５５】
発光素子は、ウエハシート上に載置された発光素子を、実装装置に備えられたコレットを用いて真空吸着し、そのコレットを基板の保持部材上に移動し、真空引きを解除することで、保持部材上に載置することができる。
【００５６】
保持部材１０４上に載置された発光素子２００の電極２０８は、第一接合部材１０２とは接しない状態であり、素子載置部１０１上に配置される場合もあるが、図５Ｃに示すように、素子載置部１０１上からずれた位置に配置される場合もある。保持部材１０４の表面張力により、発光素子２００の下面の外周と、素子載置部１０１を囲むように形成された第一堰き止め部１０５の、内周とを合致させる力が働く。これにより、図５Ｂに示すように、セルフアライメントすることができる。
【００５７】
発光素子２００の下面には、１又は２以上の電極２０８を備えている。素子載置部１０１の内周と、発光素子２００の下面の外周とが一致させるためには、発光素子２００の下面の電極２０８と基板上の第一接合部材１０２が、近接していることが好ましい。
【００５８】
セルフアライメントは、保持部材上に発光素子を載置した直後から開始、すなわち、発光素子の移動が開始され、発光素子の移動が停止することで完了する。そして、次工程である、保持部材の除去工程は、セルフアライメント完了後、つまり発光素子の移動が停止した後に行うことが好ましい。セルフアライメント開始から完了までに掛かる時間は、第一接合部材の粘度により異なり、例えば、粘度４Ｐａ・Ｓ〜１８Ｐａ・Ｓの保持部材であれば、数秒〜十数秒である。
【００５９】
保持部材１０４によるセルフアライメントの際、発光素子２００と素子載置部１０１との間に、ゴミなどが混入することによりに、セルフアライメントの効果が小さくなる。そのため、基板及び発光素子は、プラズマ、エアブローなどの異物除去工程をあらかじめ設けてもよい。
【００６０】
（１−４：基板と発光素子を接合させる工程）
図６Ａは、保持部材を除去した状態を示す概略上面図であり、図６Ｂは、図６ＡのＥ−Ｅ線における概略断面図である。図５Ａ、図５Ｂにおいて保持部材１０４上でセルフアライメントされた発光素子２００は、加熱、又は減圧することで、保持部材１０４の一部、あるいは全部が除去されることで、図６Ａ、図６Ｂに示すように発光素子２００の電極２０８と、第一接合部材１０２とを接触させることができる。
【００６１】
そして、第一接合部材１０２の溶融温度以上の温度に加熱することで、図７Ａ及び図７Ｂに示すように、発光素子２００の電極２０８と基板の配線１０８（ダイパッド部）とを、第一接合部材１０２によって接合させることができる。第一接合部材１０２は、溶融されることで広がるため、その厚みが薄くなり、図６Ｂで示す第一接合部材１０２の厚みよりも薄い厚みとなっている。
【００６２】
保持部材１０４の一部、あるいは全部を、加熱により除去する場合は、オーブン、リフロー、などにより行うことができる。また、保持部材の一部、あるいは全部を、減圧により除去する場合は、密閉可能な容器を用い、真空ポンプで容器内を減圧する減圧装置などの装置で除去することができる。保持部材を減圧して除去する際は、大気圧以下で行うことが好ましく、減圧時の圧力と、大気圧との差が大きいほど、保持部材が気化しやすく、短時間で処理を行うことができる。あるいは、加熱と減圧を両方実施することで、それぞれ単体で処理するより効率よく、保持部材を気化させることができる。
【００６３】
保持部材を除去した後、基板のダイパッド部と、発光素子の電極とを、第一接合部材を介して接合させる方法としては、オーブン、リフローなどの加熱装置で行う方法があげられる。
【００６４】
保持部材の除去と、第一接合部材を介した基板（ダイパッド部）と発光素子の接合は、同じ装置内でも行うことができ、さらに連続して行うことが好ましい。より好ましくは、第一接合部材を加熱する際の、昇温時に、保持部材の除去を行う。または、保持部材の除去後、異なる装置で基板と発光素子の接合を行ってもよい。
【００６５】
（１−５：被覆部材を設ける工程）
基板の上面に第一接合部材を介して発光素子が載置された発光装置は、更に、発光素子を保護するための被覆部材を備えることができる。被覆部材としては、樹脂、ガラスなどがあげられる。
【００６６】
被覆部材として樹脂を用いる場合は、印刷、スプレー、真空蒸着、圧縮成型、ポッティング、転写等、の方法で形成することできる。あるいは、シート貼り付け、描画などの方法でも設けることが可能である。被覆部材としてガラスを用いる場合は、板状のガラスを、接着剤を介して基板の上面に接合させることができる。あるいは、板状のガラスの縁に金属の枠を設け、金属の枠にスパッタ、蒸着、ＣＶＤ、プラズマ、印刷、メッキなどの方法で接着剤を設け、基板上面に、接着剤を設けた面が対向するように載置し、オーブン又はリフローなどにより加熱することで、被覆部材を設けることができる。
実施形態１は、上述のように、基板上面に第一接合部材と第一堰き止め部材と保持部材とが形成された状態で、発光素子を載置するため、組み立てし易い。
【００６７】
（実施形態２）
実施形態２に係る発光装置の製造方法は、
（２−１）上面に素子載置部を備えた基板であって、前記素子載置部を囲むように設けられる第一堰き止め部を備えた発光装置を準備する工程と、
（２−２）下面に電極を備えた発光素子であって、前記電極上に第二接合部材を備えた発光素子を準備する工程と
（２−３）前記第一堰き止め部で囲まれた領域に、保持部材を設ける工程と、
（２−４）前記保持部材上に、前記発光素子の電極を対向させて載置し、セルフアライメントさせる工程と
（２−５）前記保持部材の少なくとも一部を除去し、前記第二接合部材と前記発光素子とを接合する工程と、
を備える。
さらに、
（２−６）基板上に被覆部材を設ける工程、を備えることができる。
【００６８】
実施形態１では、基板と発光素子とを接合させる接合部材（第一接合部材）が基板に備えられているのに対し、実施形態２では、接合部材（第二接合部材）が発光素子に備えられている点において異なる。従って、実施形態１と同様の工程については適宜離省略する。
【００６９】
（２−１：基板を準備する工程）
図８Ａは、基板１１０の概略上面図、図８Ｂは図８ＡのＦ−Ｆ線における概略断面図を示す。基板１１０は、上面に素子載置部１０１を備え、更に、素子載置部１０１を囲むように第一堰き止め部１０５、が設けられている。
【００７０】
基板を準備する工程は、以下の（２−１ａ）（２−１ｂ）のいずれかの工程とすることができる。
（２−１ａ）上面に、素子載置部と第一堰き止め部とがあらかじめ備えられた基板を準備する工程、
（２−１ｂ）上面に、素子載置部があらかじめ備えられた基板を準備し、素子載置部を囲むように第一堰き止め部を形成する工程を行って、これらの部材を備えた基板を準備する工程、
のうち、いずれかの工程とすることができる。
【００７１】
上記の（２−１ｂ）に含まれる第一堰き止め部を形成する方法は、実施形態１の工程（１−１）に記載した方法と同様に行うことができる。
【００７２】
（２−２：発光素子を準備する工程）
発光素子を準備する工程は、以下のいずれかの方法とすることができる。
（２−２ａ）発光素子の電極に、あらかじめ第二接合部材が備えられた発光素子を準備する工程。
（２−２ｂ）発光素子の電極に、第二接合部材を形成することで発光素子を準備する工程。
【００７３】
図９は、第二接合部材２０２を備えた発光素子２００の概略断面図である。図９において、発光素子２００は、半導体層２０６の上面に電極２０８を備える。この電極２０８が形成された上面は、基板上に発光素子を載置する際、基板と対向するように配置される。
【００７４】
第二接合部材２０２は、実施形態１の第一接合部材と同様に、金属又は金属を主成分として含む導電部材であり、基板と発光素子の電極と接合させると共に、導通させる部材である。例えば、Ｓｎ、Ｂｉ系の金属材料があげられる。
【００７５】
第二接合部材２０２を形成する工程は、まず、ウエハ状態の発光素子（個片化する前の発光素子）の半導体層面に電極が形成されたものを準備する。次いで、電極以外をレジスト等マスクで覆った後に、スパッタ、蒸着、ＣＶＤ、プラズマ、印刷、メッキなどの方法で、第二接合部材を形成する。あるいは電極以外をマスクすることなく、転写、ポッティング、描画、接合部材箔の貼り付け等の方法で第二接合部材を形成することができる。また、スパッタ、蒸着ＣＶＤ、プラズマ、印刷、メッキなどの方法で、第二接合部材を全面に形成した後、電極をマスクなどで覆い、ブラスト等で第二接合部材を除去することで、電極上に第二接合部材を設けることができる。
【００７６】
（２−３：保持部材を設ける工程）
図１０Ａは、第一堰き止め部１０５で囲まれた素子載置部１０１に保持部材１０４を設けた状態を示す概略断面図であり、図１０Ｂは、図１０ＡのＨ−Ｈ線における断面図である。この工程は、実施形態１の（１−２）と同様に行うことができる。
【００７７】
（２−４：セルフアライメントさせる工程）
図１１Ａは、保持部材１０４上に、発光素子２００を載置した状態を示す概略上面図、図１１Ｂは、図１１ＡのＩ−Ｉ線における概略断面図を示す。
【００７８】
（２−５：基板と発光素子を接合させる工程）
保持部材上に発光素子を載置し、セルフアライメントさせた後、加熱又は減圧することで、保持部材の一部、あるいは全部を除去することがでる。さらに、保持部材を除去後、加熱を行い第二接合部材の溶融温度以上の環境で保持することで、前記発光素子と、前記基板上のダイパッドとを接合することができる。
【００７９】
実施形態１では、保持部材を除去する前は、発光素子の電極と、基板のダイパッド部上に設けられた第一接合部材とが、離間するように配置される。これに対し、実施形態２では、保持部材を除去する前は、発光素子の電極に設けられた第二接合部材と、基板のダイパッド部とが離間しているように配置される。いずれの場合も、保持部材を除去することで、発光素子の電極と、基板とのダイパッド部とが、第一接合部材又は第二接合部材とを介して接触させることができ、更に加熱によって第一接合部材又は第二接合部材を溶融して、接合させることができる。
【００８０】
（２−６：被覆部材を設ける工程）
この工程は、実施形態１の（１−５）と同様に行うことができる。
【００８１】
（実施形態３）
実施形態３に係る発光装置の製造方法は、実施形態１の（１−３）保持部材上に発光素子を載置し、セルフアライメントさせる工程において、用いる発光素子が、電極を取り囲むように第二堰き止め部材を備えた発光素子であるほかは、実施形態１と同様に行うことができる。
【００８２】
第二堰き止め部は、基板に設けられる第一堰き止め部と同様に、保持部材を留める（堰き止める）ものである。例えば、発光素子の電極を取り囲むように、第二堰き止め部を設けることができる。第二堰き止め部は、第一堰き止め部と同様に、撥水部材、凸部、凹部等として設けることができる。撥水部材としては、第一堰き止め部と同様の材料を用いることができる。
【００８３】
第二堰き止め部として、撥水部材を設ける場合、ウエハを個片化する前の状態（すなわちウエハ状）、又は、ウエハを個片化して得た発光素子をウエハシートに貼り付けた状態にいずれかに、撥水部材を設けることができる。例えば、電極をレジスト等マスクで覆った後に、印刷、スプレー、真空蒸着、圧縮成形、ポッティング、転写等、の方法で形成することができる。あるいは、電極をマスクすることなく、シート貼り付け、描画、転写等の方法で電極を囲む領域のみ第二堰き止め部を形成することができる。または、スプレー、真空蒸着、圧縮成型、ポッティング、転写、等の方法で、発光素子（ウエハ含む）の全面に撥水部材を形成した後、電極を囲む領域のみをマスクなどで覆い、電極上の撥水部材をブラスト等で除去することで、電極を囲むように第二堰き止め部を形成することができる。
【００８４】
このように、基板側に第一堰き止め部を設け、発光素子側に第二堰き止め部を設けることで、発光素子の形状に関わらず、セルフアライメントし易くすることができる。例えば、発光素子の下面（電極形成面）が六角形である場合、基板の素子載置部も六角形となる。六角形の場合、四角形に比べて、整合しようとする辺の選択肢が増える。そのため、セルフアライメントさせる際に、意図した辺同士が整合し難い場合がある。
【００８５】
発光素子の下面（電極形成面）の形状が六角形の場合、開口部が四角形の第二堰き止め部を設けることで、基板に設けられる保持部材と発光素子とを接触させた際に、その四角形の第二堰き止め部によって、保持部材が発光素子の６つの辺に達することを抑制することができる。すなわち、保持部材と発光素子との接触面を四角形とすることができる。この場合、基板に設けられる第一堰き止め部も、四角形の開口部となるように設けておく。このようにすることで、擬似的に四角形の底面を備えた発光素子とすることができる。これにより、六角形の発光素子を、正しい位置にセルフアライメントし易くすることができる。
【００８６】
（実施形態４）
実施形態４に係る発光装置の製造方法は、実施形態２の（２−２）電極上に第二接合部材を備えた発光素子を準備する工程において、用いる発光素子が、電極を取り囲むように第二堰き止め部を備えた発光素子であるほかは、実施形態２と同様に行うことができる。
【００８７】
実施形態４に関わる発光装置の基板、及び発光素子についての一例として、図１２Ａ、図１２Ｂ、図１３Ａ、図１３Ｂが挙げられる。
図１２Ａは、基板１１０の概略上面図、図１２Ｂは図１２ＡのＪ−Ｊ線における概略断面図を示す。基板１１０は、上面にダイパッド部１０９を備えている。前記ダイパッド部上には、素子載置部１０１を囲むように、第一堰き止め部１０５が設けられている。
【００８８】
図１３Ａは、発光素子２００の概略上図、図１３Ｂは図１３ＡのＫ−Ｋ線における概略断面図を示す。発光素子２００は、下面に電極２０８と素子載置部１０１と相似形となるような形状の第二堰き止め部２０５が設けられている。
【００８９】
前記基板上のダイパッド部１０９及び発光素子２００の形状は、正方形ではなく、多角形形状である。前記形状は、一般的な発光素子形状である正方形形状に比べ、セルフアライメントの際、ダイパッド部及び発光素子がパターンを一致させることが可能な角度が小さい。
しかし、図１２Ａ、図１２Ｂ、図１３Ａ、図１３Ｂで示すように、基板の上面、及び、発光素子下面に、相似形となるパターン（ここでは正方形）の第一堰き止め部１０５、第二堰き止め部２０５を設けることで、セルフアライメント可能な角度を大きくすることが可能となる。詳細には、基板上のダイパッド部１０９の中（ダイパッド部の内側）に、四角形の第一堰き止め部１０５を設ける。また、このダイパッド部１０９と略同一形状で略同一大きさの六角形の底面を有する半導体層２０６を備えた発光素子２００の下面に、第一堰き止め部１０５と対向するように四角形の第二堰き止め部２０５を設ける。発光素子２００の下面の電極２０８は、図１３Ｂに示すように中央に設けられるｐ電極２０８ｐと、それを取り囲むように設けられるｎ電極２０８ｎとを備えており、第二堰き止め部２０５は、ｎ電極２０８ｎの上に四角形の枠状に設けられている。このように、発光素子の形状に関わらず、第一堰き止め部材と第二堰き止め部材との形状とを略同じにすることで、セルフアライメントをし易くすることができる。
【００９０】
発光素子を準備する工程としては、以下の（４ａ）〜（４ｅ）のいずれかの工程とすることができる。
（４ａ）電極に、第二堰き止め部と、第二接合部材を備えた発光素子を準備する工程。
（４ｂ）電極を備えた発光素子を準備し、電極を囲むように第二堰き止め部を形成後、発光素子の電極上に第二接合部材を形成する工程を行って、これらの部材を備えた発光素子を準備する工程。
（４ｃ）電極を備えた発光素子を準備し、発光素子の電極上に第二接合部材を形成後、発光素子の電極を囲むように第二堰き止め部を形成する工程を行って、これらの部材を備えた発光素子を準備する工程。
（４ｄ）電極と第二堰き止め部とを備えた発光素子を準備し、発光素子の電極上に第二接合部材を形成する工程を行って、これらの部材を備えた発光素子を準備する工程。
（４ｅ）電極と第二接合部材を備えた発光素子を準備し、発光素子の電極部を囲むように第一堰き止め部を形成する工程を行って、これらの部材を備えた発光素子を準備する工程。
尚、（４ｂ）（４ｃ）（４ｅ）に含まれる第一堰き止め部を形成する工程は、実施形態３と同様に行うことができる。
【００９１】
（４ｂ）、（４ｃ）、（４ｄ）に含まれる第二接合部材を形成する工程は、ウエハを個片化する前の状態（すなわちウエハ状）、又は、ウエハを個片化して得た発光素子をウエハシートに貼り付けた状態にいずれかにおいて、電極以外をレジスト等マスクで覆った後に、スパッタ、蒸着、ＣＶＤ、プラズマ、印刷、メッキなどの方法で形成することができる。あるいは、電極以外をマスクすることなく、転写、ポッティング、描画、接合部材箔の貼り付け等の方法で形成することができる。また、スパッタ、蒸着ＣＶＤ、プラズマ、印刷、メッキなどの方法で、第二接合部材を、電極を含む発光素子の下面全面上に形成した後、電極をマスクなどで覆い、覆われていない部分をブラスト等で除去することで、素子載置部上の電極部のみ第一接合部材を設けることが出来る。また、（４ｅ）のように、第二堰き止め部が先に形成されている場合は、第二堰き止め部の少なくとも一部、または全部を覆わないように、第二接合部材を設けることが好ましい。
【産業上の利用可能性】
【００９２】
本開示の発光装置は、照明用光源、各種インジケーター用光源、車載用光源、ディスプレイ用光源、液晶のバックライト用光源、信号機、車載部品、看板用チャンネルレター、などの光源に使用することができる。また、光源用途以外でも、半導体部品、電子部品などの、比較的小さい工業製品に使用させることができる。
【符号の説明】
【００９３】
１００    発光装置
１０１    素子載置部
１０２    第一接合部材
１０４    保持部材
１０５    第一堰き止め部
１０７    基板の母材
１０８    配線
１０９    ダイパッド部
１１０    基板
１１１    被覆部材
１１２    接着剤
２００    発光素子
２０２    第二接合部材
２０５    第二堰き止め部
２０６    半導体層
２０８    電極
２０８ｐ  ｐ電極
２０８ｎ  ｎ電極
【図１Ａ】
0006786781.tif 000002
【図１Ｂ】
0006786781.tif 000003
【図１Ｃ】
0006786781.tif 000004
【図２Ａ】
0006786781.tif 000005
【図２Ｂ】
0006786781.tif 000006
【図３Ａ】
0006786781.tif 000007
【図３Ｂ】
0006786781.tif 000008
【図３Ｃ】
0006786781.tif 000009
【図３Ｄ】
0006786781.tif 000010
【図３Ｅ】
0006786781.tif 000011
【図３Ｆ】
0006786781.tif 000012
【図３Ｇ】
0006786781.tif 000013
【図３Ｈ】
0006786781.tif 000014
【図４Ａ】
0006786781.tif 000015
【図４Ｂ】
0006786781.tif 000016
【図５Ａ】
0006786781.tif 000017
【図５Ｂ】
0006786781.tif 000018
【図５Ｃ】
0006786781.tif 000019
【図６Ａ】
0006786781.tif 000020
【図６Ｂ】
0006786781.tif 000021
【図７Ａ】
0006786781.tif 000022
【図７Ｂ】
0006786781.tif 000023
【図８Ａ】
0006786781.tif 000024
【図８Ｂ】
0006786781.tif 000025
【図９】
0006786781.tif 000026
【図１０Ａ】
0006786781.tif 000027
【図１０Ｂ】
0006786781.tif 000028
【図１１Ａ】
0006786781.tif 000029
【図１１Ｂ】
0006786781.tif 000030
【図１２Ａ】
0006786781.tif 000031
【図１２Ｂ】
0006786781.tif 000032
【図１３Ａ】
0006786781.tif 000033
【図１３Ｂ】
0006786781.tif 000034